(57)【要約】【目的】  ミシンの下糸に使うボビンに巻いた糸がほつれないように、糸をボビンに固定しておくためのボビン用糸止め具を提供する。【解決手段】  ボビン（５）の内側寸法よりやや小さめの幅を持ち、概半円形状で柔軟性を有し一端に一個又は複数個のカギ固定部（３）を有する止め具本体（１）と、ボビン（５）の内側寸法より小さな幅を持ち、概半円形状でばね性を有し一端に固定用カギ部（４）を有する止め部（２）を有し、止め具本体（１）の他端と止め部（２）の他端は回動自在に固定されている。又は、ボビンの内側寸法よりやや小さめの幅を持ち、概円形状で柔軟性とばね性を有し、その一端に一個又は複数個のカギ固定部（３）を有し、多端には固定用カギ部を有する止め部（２）を有している。【選択図】図１
2007054567.tif 000002
【特許請求の範囲】
【請求項１】
ボビン（５）の内側寸法よりやや小さめの幅を持ち、概半円形状で柔軟性を有し一端に一個又は複数個のカギ固定部（３）を有する止め具本体（１）と、ボビンの内側寸法より小さな幅を持ち、概半円形状でばね性を有し一端に固定用カギ部（４）を有する止め部（２）を有し、止め具本体（１）の他端と止め部（２）の他端は回動自在に固定されたことを特徴とするボビン用糸止め具。
【請求項２】
ボビン（５）の内側寸法よりやや小さめの幅を持ち、概円形状で柔軟性とばね性を有し、その一端に一個又は複数個のカギ固定部（３）を有し、多端には固定用カギ部（４）を有する止め部（２）を有することを特徴とするボビン用糸止め具。
【発明の詳細な説明】
【技術分野】
【０００１】  本発明は、ミシンの下糸に使うボビンに巻いた糸がほつれないように、糸をボビンに固定しておくためのボビン用糸止め具に関する。
【背景技術】
【０００２】  ミシンにより縫製を行なうことは古くから行なわれていた。ミシンによる縫製作業では上糸と下糸が必要であるが、下糸はボビンという専用部品に糸を巻き、ボビンケースに収めてミシン内に収容して使用する必要があり、ボビン並びにボビンに巻いた糸の管理をどうするかといった課題を有していたが、そのような課題に対処するための一方法として、糸が巻かれたボビンを収納するボビンホルダー（特許文献１）が知られていた。【０００３】  特許文献１のボビンホルダーは、ボビンホルダー内のストッパーと底板外面に固定された磁石によりボビンを固定し、ボビンホルダーの底板に設けられた切りこみにて糸がほつれないようにを固定する構造である。又、左右側板の中心部付近に突出したストッパーを設け、このストッパーにてボビンを固定し、任意の位置に糸止め用の切りこみを設けた構造である。
【特許文献１】特開平１０−９９５８３
【発明の開示】
【発明が解決しようとする課題】
【０００４】  従来の特許文献１において、ストッパーと磁石によりボビンを固定する方法では固定の方法が確実ではなく、ちょっとした力でホルダーからボビンがはずれてしまった場合には丸いボビンが転がってしまうといった課題を有し、切りこみにて糸が固定された状態でボビンが転がれば糸が長く出てしまい、糸がほつれてしまうといった課題を有する。【０００４】  又、左右側板のストッパーにてボビンを固定する方法でも、ボビンを取り出す際に力を入れすぎるとボビンが飛び出してしまい、その結果、丸いボビンが転がってしまうといった課題を有し、切りこみにて糸が固定されていれば糸が長く出てしまい、糸がほつれてしまうといった課題を有する。【０００５】  さらには、専用のホルダーが必要であり、ホルダーを収容するには専用のケースが必要であるといった課題を有する。
【課題を解決するための手段】
【０００６】  本発明のボビン用糸止め具は、ボビン（５）の内側寸法よりやや小さめの幅を持ち、概半円形状で柔軟性を有し一端に一個又は複数個のカギ固定部（３）を有する止め具本体（１）と、ボビン（５）の内側寸法より小さな幅を持ち、概半円形状でばね性を有し一端に固定用カギ部（４）を有する止め部（２）を有し、止め具本体（１）の他端と止め部（２）の他端は回動自在に固定されたことを特徴とする。【０００７】  さらには、ボビン（５）の内側寸法よりやや小さめの幅を持ち、概円形状で柔軟性とばね性を有し、その一端に一個又は複数個のカギ固定部（３）を有し、多端には固定用カギ部を有する止め部（２）を有することを特徴とする。
【発明の効果】
【０００８】  本発明のボビン用糸止め具は、ボビン専用のホルダーを使用することなく、ボビンの糸のみを固定する構造なので、糸を容易に固定することができるとともに、ボビン用糸止め具をはずす際に万一ボビンが転がってしまっても、糸の端は固定されていないので糸が長く出てしまうことがなく、糸がほつれにくいといった効果を有する。【０００９】  さらには、専用のホルダーやホルダーを収容する専用ケース等が必要としないといった効果を有する。
【発明を実施するための最良の形態】
【００１０】  本発明のボビン用糸止め具は、ボビン専用のホルダーを不要として糸を容易に固定し、ボビンが転がっても糸がほつれず、又、ホルダーを収容する専用ケースを不必要とするといった目的を、ボビンの内側寸法よりやや小さめの幅を持ち、概半円形状で柔軟性を有し一端に一個又は複数個のカギ固定部を有する止め具本体と、ボビンの内側寸法より小さな幅を持ち、概半円形状でばね性を有し一端に固定用カギ部を有する止め部を有し、止め具本体の他端と止め部の他端は回動自在にすることにより実現している。【００１１】  さらには、ボビンの内側寸法よりやや小さめの幅を持ち、概円形状で柔軟性とばね性を有し、その一端に一個又は複数個のカギ固定部を有し、多端には固定用カギ部を有する止め部を有することにより実現している。
【実施例１】
【００１２】  図１は実施例１のボビン用糸止め具の斜視図、図２は実施例１のボビン用糸止め具の使用例図である。【００１３】  実施例１によるボビン用糸止め具の構成は、ボビン（５）の内側寸法よりやや小さめの幅を持ち、概半円形状で柔軟性を有し一端に一個又は複数個のカギ固定部（３）を有する止め具本体（１）と、ボビンの内側寸法より小さな幅を持ち、概半円形状でばね性を有し一端に固定用カギ部（４）を有する止め部（２）を有し、止め具本体（１）の他端と止め部（２）の他端は回動自在に固定されている。【００１４】  実施例１によるボビン用糸止め具の使用方法は、糸（６）が巻かれたボビン（５）の、糸（６）を固定するように止め具本体（１）をかぶせることによりボビンの概半周を固定し、残りの半周にはばね性を有する止め部（２）をかぶせて止め具本体（１）のカギ固定部（３）に止め部（２）の固定用カギ部（４）を引っ掛けて固定することにより、ボビン（５）の糸（６）が固定されるのである。【００１５】  実施例１によるボビン用糸止め具は、ボビン（５）に巻かれた糸（６）を直接固定する構造なので、糸（６）を容易に固定することができるとともに、ボビン用糸止め具をはずす際に万一ボビンが転がってしまっても、糸の端は固定されていないので糸が長く出てしまうことがないので、糸がほつれにくく、専用のホルダーやホルダーを収容する専用ケース等が必要ないのである。
【実施例２】
【００１６】  図３は実施例２のボビン用糸止め具の斜視図、図４は実施例２のボビン用糸止め具の使用例図である。【００１７】  実施例２によるボビン用糸止め具の構成は、ボビンの内側寸法よりやや小さめの幅を持ち、概円形状で柔軟性とばね性を有し、その一端に一個又は複数個のカギ固定部（３）を有し、多端には固定用カギ部（４）を有する止め部（２）を有している。【００１８】  実施例２によるボビン用糸止め具の使用方法は、糸（６）が巻かれたボビン（５）の、糸（６）を固定するように止め部（３）全体を巻くようにしてかぶせることにより、ボビンの概全周を固定し、カギ固定部（３）に固定用カギ部（４）を引っ掛けて固定することにより、ボビン（５）の糸（６）が固定されるのである。【００１９】  実施例２によるボビン用糸止め具は、ボビン（５）に巻かれた糸（６）を直接固定する構造なので、糸（６）を容易に固定することができるとともに、ボビン用糸止め具をはずす際に万一ボビンが転がってしまっても、糸の端は固定されていないので糸が長く出てしまうことがないので、糸がほつれにくく、専用のホルダーやホルダーを収容する専用ケース等が必要ないのである。
【産業上の利用可能性】
【００２０】  ミシン用の小さなボビンのみならず、電線等を巻いた大きなボビンにも利用が可能である。
【図面の簡単な説明】
【図１】実施例１のボビン用糸止め具の斜視図
【図２】実施例１のボビン用糸止め具の使用例図
【図３】実施例２のボビン用糸止め具の斜視図
【図４】実施例２のボビン用糸止め具の使用例図
【符号の説明】
１：止め具本体
２：止め部
３：カギ固定部
４：固定用カギ部
５：ボビン
６：糸
【図１】
2007054567.tif 000003
【図２】
2007054567.tif 000004
【図３】
2007054567.tif 000005
【図４】
2007054567.tif 000006